(57)【要約】【課題】パウダーを必要な量だけ補充できるとともに、パウダーを補充する際の操作性も良く、また使用状態での使い勝手も良好なパウダー容器を提供する。【解決手段】パウダーＰを収納する容器本体８の開口部９に上方へ向かって離脱可能に嵌合される中皿１０と、中皿に形成され、パウダーを補充する補充用開口１５と、中皿とは別体で形成され、パウダーを取り出す小孔１８を有し、補充用開口に上方へ向かって離脱可能に嵌合される内蓋１７と、内蓋の一端に一体に形成され、内蓋と中皿とを係止する帯状係止片２０と、帯状係止片に一体的に形成され、補充用開口から離脱された内蓋を中皿上に起立させるヒンジ部２３と、内蓋の他端に一体に形成され、引き上げ操作されて、内蓋を補充用開口から離脱させるとともに、中皿上に起立された内蓋に帯状係止片を介して係止された中皿を引き上げて開口部から離脱させる帯状引き上げ操作片２４とを備えた。【選択図】          図１
2004166730.tif 000002
【特許請求の範囲】
【請求項１】
パウダーを収納する容器本体を有するパウダー容器において、上記容器本体の開口部に上方へ向かって離脱可能に嵌合される中皿と、該中皿に形成され、パウダーを補充するための補充用開口と、上記中皿とは別体で形成され、パウダーを取り出す小孔を有して、上記補充用開口に上方へ向かって離脱可能に嵌合される内蓋と、該内蓋の一端に一体的に形成され、該内蓋と上記中皿とを係止する帯状係止片と、該帯状係止片に一体的に形成され、上記補充用開口から離脱された上記内蓋を上記中皿上に起立させる折り曲げ自在なヒンジ部と、上記内蓋の他端に一体的に形成され、引き上げ操作されて、該内蓋を引き上げて上記補充用開口から離脱させるとともに、上記中皿上に起立された該内蓋に上記帯状係止片を介して係止された該中皿を引き上げて上記容器本体の開口部から離脱させる帯状引き上げ操作片とを備えたことを特徴とするパウダー容器。
【請求項２】
前記中皿には、前記帯状係止片および前記帯状引き上げ操作片を収納する収納溝が形成されていることを特徴とする請求項１に記載のパウダー容器。
【発明の詳細な説明】
【０００１】
【発明の属する技術分野】
本発明は、いつでも好きなときに必要な量だけ補充することができるとともに、パウダーを補充する際の操作性も良く、また使用状態での使い勝手も良好なパウダー容器に関する。
【０００２】
【従来の技術】
一般に、この種のパウダー容器は、パウダーを収納する容器本体の開口部に、パウダーを取り出すための小穴を有する穴あき中皿を取り外し可能に装着し、パフを穴あき中皿に押し付けた状態で容器本体を傾けるなどして、小穴からこぼれ出るパウダーをパフに付着させるようにしている。
【０００３】
このようなパウダー容器において、従来にあっては、パウダーの補充操作の利便性を考慮して、剥離可能なシートで密封される廃棄可能な簡易な容器に補充用のパウダーを詰めてこれをレフィルとし、シートを剥がしたレフィルを、穴あき中皿を取り外した容器本体内に収納して、再度穴あき中皿を取り付けるようにし、このレフィルの交換操作によってパウダーの補充を行うようにしたものが知られている（例えば、特許文献１参照）。
【０００４】
【特許文献１】
特開２０００−１２５９２８号公報
【０００５】
【発明が解決しようとする課題】
ところで、上記従来のパウダー容器にあっては、レフィルの交換操作によってパウダーを補充する必要があり、いつでも好きなときに必要な量だけ補充することはできず、その結果、パウダー容器としての使い勝手があまり良くないという課題があった。
【０００６】
具体的に説明すると、レフィルの交換によってパウダーを補充するようにしているため、パウダーがまだあるうちに途中でレフィルを交換することは無駄になることから、通常は中身のパウダーを使い切るまではレフィルを交換することがない。パウダーを最後まで使い切ろうとすると、中身が少なくなってくるに伴って、容器本体を斜めに傾けた程度では必要量のパウダーをパフに付着させることはできず、容器本体を逆さまにしたり、さらには容器本体を振るなどしなければならなくなって、使用状態ではかえって不便な面が見受けられるという問題があった。
【０００７】
本発明は上記従来の課題に鑑みて創案されたものであって、いつでも好きなときに必要な量だけ補充することができるとともに、パウダーを補充する際の操作性も良く、また使用状態での使い勝手も良好なパウダー容器を提供することを目的とする。
【０００８】
【課題を解決するための手段】
本発明にかかるパウダー容器は、パウダーを収納する容器本体を有するパウダー容器において、上記容器本体の開口部に上方へ向かって離脱可能に嵌合される中皿と、該中皿に形成され、パウダーを補充するための補充用開口と、上記中皿とは別体で形成され、パウダーを取り出す小孔を有して、上記補充用開口に上方へ向かって離脱可能に嵌合される内蓋と、該内蓋の一端に一体的に形成され、該内蓋と上記中皿とを係止する帯状係止片と、該帯状係止片に一体的に形成され、上記補充用開口から離脱された上記内蓋を上記中皿上に起立させる折り曲げ自在なヒンジ部と、上記内蓋の他端に一体的に形成され、引き上げ操作されて、該内蓋を引き上げて上記補充用開口から離脱させるとともに、上記中皿上に起立された該内蓋に上記帯状係止片を介して係止された該中皿を引き上げて上記容器本体の開口部から離脱させる帯状引き上げ操作片とを備えたことを特徴とする。
【０００９】
これにより、帯状引き上げ操作片の引き上げ操作を加減することで、少量のパウダーを補充するのに便利なように、内蓋を補充用開口から離脱させたり、容器本体一杯に一気にパウダーを補充するのに便利なように、中皿を容器本体の開口部から離脱させる２通りの方法で、パウダーをいつでも好きなときに必要な量だけ補充することが可能になる。そして、いつでもパウダーを補充できることから、レフィルを用いた場合のように、中身を使い切るような使用を余儀なくされることはなく、適度な量のパウダーを補充しておくことで、必要な量のパウダーを容易にパフなどの化粧具に付着させることができ、良好な使い勝手を保証することができる。
【００１０】
また、前記中皿には、前記帯状係止片および前記帯状引き上げ操作片を収納する収納溝が形成されていることを特徴とする。これにより、小孔から取り出されるパウダーを、パフなどの化粧具にムラなくしっかりと付着させることが可能になる。
【００１１】
【発明の実施の形態】
以下に、本発明にかかるパウダー容器の好適な一実施形態を、添付図面を参照して詳細に説明する。本実施形態にかかるパウダー容器１は図１〜図５に示すように、蓋体２が螺合されるネジ部３が外周面４上部に形成されるとともに、底板５上に内周面６で取り囲んだ収納空間７内にパウダーＰを収納する容器本体８と、この容器本体８の上端内周縁で区画される開口部９に設けられる合成樹脂製の中皿１０とから主に構成される。図示例にあっては、容器本体８および中皿１０はともに、平面外形輪郭が円形状に形成されている。
【００１２】
中皿１０は、底部１１と、この底部１１外周縁に一体的に上方へ立ち上げて形成された周壁部１２と、この周壁部１２の上端にその周方向に沿って外方へ張り出して一体的に形成されたフランジ部１３とから構成され、底部１１と周壁部１２とで取り囲まれた内部に、パフなどの化粧具Ｔを収納するとともに、パウダーＰを取り出し操作するための凹部１４が形成される。
【００１３】
そして中皿１０は、フランジ部１３が容器本体８の上端に係止された状態で、周壁部１２が容器本体８の内周面６に圧接されることにより、容器本体８の開口部９に上方へ向かって離脱可能に嵌合される。この中皿１０の底部１１には、そのほぼ中央部に位置させて、パウダーＰを補充するために収納空間７を外部に開放する円形の補充用開口１５が形成される。また底部１１には図１および図３に示すように、補充用開口１５の周方向に沿って一連に、当該補充用開口１５内にわずかに突出する係止用棚部１６が一体的に形成される。
【００１４】
他方、補充用開口１５には、合成樹脂製の内蓋１７が設けられる。内蓋１７は中皿１０とは別体で、補充用開口１５に嵌り合う円盤状に形成される。内蓋１７にはこれを貫通させて、収納空間７内のパウダーＰを取り出すための小孔１８が多数形成される。また収納空間７側に面する内蓋１７の裏面には図１〜図３に示すように、係止用棚部１６の形成位置に対応させて、補充用開口１５の周方向に沿って一連に嵌合用リブ１９が下方へ突出させて形成される。
【００１５】
嵌合用リブ１９は、係止用棚部１６の内周縁に嵌め合わされる。また、内蓋１７は補充用開口１５下に落とし込まれないように、当該補充用開口１５の内周縁に嵌め合わされつつ当該係止用棚部１６上に係止される。以上の構成により、内蓋１７は補充用開口１５に上方へ向かって離脱可能に嵌合される。
【００１６】
このように形成された内蓋１７の一端には、これと中皿１０とを係止する帯状係止片２０が一体的に形成される。この帯状係止片２０は、内蓋１７の外周縁から外方へ水平に延出され、その延出端に形成された凸部２１が中皿１０に形成されたスリット２２に嵌め込まれることにより、内蓋１７を中皿１０に係止して互いに連結するようになっている。
【００１７】
帯状係止片２０には、補充用開口１５から離脱された内蓋１７を中皿１０上に起立させる折り曲げ自在なヒンジ部２３が一体的に形成される。このヒンジ部２３は本実施形態にあっては、内蓋１７とスリット２２との間に、中皿１０に向けて形成された下向きのＶ字状溝で構成され、Ｖ字状溝を広げるように折り曲げることで、中皿１０上に内蓋１７が起立される。
【００１８】
さらに、内蓋１７には、帯状係止片２０とは反対側の他端に、引き上げ操作される帯状引き上げ操作片２４が一体的に形成される。この帯状引き上げ操作片２４は、内蓋１７の外周縁から中皿１０の底部１１を経過してその周壁部１２上端にわたるＬ字状に形成され、その先端には中皿１０の凹部１４内方へわずかに突出させて突起２５が形成される。この突起２５を引き上げることにより、内蓋１７が上方へ引き上げられ、またこの内蓋１７を引き上げきった後にさらに引き上げることで、帯状係止片２０を介して中皿１０が引き上げられるようになっている。
【００１９】
さらに中皿１０の底部１１および周壁部１２には、内蓋１７の帯状係止片２０や帯状引き上げ操作片２４に沿ってそれらの厚さ相当の深さで窪ませて、これら帯状係止片２０や帯状引き上げ操作片２４を収納する収納溝２６が形成され、これにより凹部１４を形成する中皿１０の底部１１および周壁部１２が平坦化ないしは平滑化されるようになっている。
【００２０】
次に、本実施形態のパウダー容器１の作用について説明する。パウダーＰをパフなどの化粧具Ｔに付着させる際には、従来と同様に、化粧具Ｔを小孔１８に押し付けた状態で容器本体８を傾けるなどして、小孔１８からこぼれ出るパウダーＰを化粧具Ｔに付着させる。使用により量が少なくなってきたときに容器本体８内の収納空間７にパウダーＰを補充する際には、２通りの方法がある。
【００２１】
補充用開口１５を利用して補充する場合には、突起２５に指などを掛けて帯状引き上げ操作片２４を引き上げる。引き上げ操作すると、帯状引き上げ操作片２４は収納溝２６から引き出され、内蓋１７を上方に引き上げる。引き上げ力が作用する内蓋１７は、その嵌合用リブ１９の係止用棚部１６内周縁からの離脱を伴って、補充用開口１５から上方に離脱される。そして、帯状引き上げ操作片２４をそのまま引き上げ切ることにより、図４に示すように内蓋１７は、引き上げ操作によって折り曲げられる帯状係止片２０のヒンジ部２３によって、収納溝２６から引き出された帯状係止片２０とともに中皿１０上に起立される。これにより、補充用開口１５は大きく開放され、この開放された補充用開口１５から収納空間７内にパウダーＰを補充することができる。
【００２２】
他方、容器本体８の開口部９を開放してパウダーＰを補充する場合には、中皿１０上に内蓋１７が起立された図４の状態でさらに帯状引き上げ操作片２４を引き上げ操作する。帯状引き上げ操作片２４を引き上げると、内蓋１７に帯状係止片２０を介して係止された中皿１０にも引き上げ力が作用し、この引き上げ力によって中皿１０は図５に示すように、容器本体８の開口部９から上方に離脱される。これにより、開口部９は大きく開放され、この開放された開口部９から収納空間７内にパウダーＰを補充することができる。
【００２３】
以上説明したように、本実施形態にかかるパウダー容器１は、帯状引き上げ操作片２４の引き上げ操作を加減することで、少量のパウダーＰを補充するのに便利なように、内蓋１７を補充用開口１５から離脱させたり、容器本体８一杯に一気にパウダーＰを補充するのに便利なように、中皿１０を容器本体８の開口部９から離脱させる２通りの方法で、パウダーＰをいつでも好きなときに必要な量だけ補充することができる。
【００２４】
殊に、容器本体８の開口部９周りからのパウダー漏れを確実に防止するために、中皿１０を容器本体８の開口部９にきつく嵌合させるようにしても、内蓋１７を利用してパウダーＰを補充することができ、特に必要な場合にのみ中皿１０を容器本体８の開口部９から離脱させればよく、使用上の支障を生じることなく、中皿１０を開口部９にきつく嵌合させることができるようになる。
【００２５】
そして、いつでもパウダーＰを補充できることから、レフィルを用いた場合のように中身を使い切るような使用を余儀なくされることはなく、適度な量のパウダーＰを補充しておくことで、必要な量のパウダーＰを容易にパフなどの化粧具Ｔに付着させることができ、使い勝手にも優れる。
【００２６】
また、中皿１０に、帯状係止片２０および帯状引き上げ操作片２４を収納する収納溝２６を形成したので、小孔１８から取り出されるパウダーＰを、パフなどの化粧具Ｔにムラなくしっかりと付着させることができる。すなわち、帯状係止片２０や帯状引き上げ操作片２４を凹部１４内にそのまま配置すると、化粧具Ｔがこれら帯状引き上げ操作片２４や帯状係止片２０に引っ掛かって、パウダーＰを付着させる操作が妨げられたり、これら帯状係止片２０や帯状引き上げ操作片２４にパウダーＰがおびただしく付着して、見た目が悪くなるおそれがある。これに対し本実施形態にあっては、収納溝２６に帯状係止片２０や帯状引き上げ操作片２４を収納するようにしたことにより、上記不具合を防止することができる。
【００２７】
【発明の効果】
以上要するに、本発明にかかるパウダー容器にあっては、いつでも好きなときに必要な量だけ補充することができるとともに、パウダーを補充する際の操作性も良く、また使用状態での使い勝手にも優れる。
【図面の簡単な説明】
【図１】本発明にかかるパウダー容器の好適な一実施形態を示す一部破断斜視図である。
【図２】図１中、Ａ−Ａ線矢視断面図である。
【図３】図１中、Ｂ−Ｂ線矢視断面図である。
【図４】図１のパウダー容器の内蓋を補充用開口から離脱させた状態を示す側断面図である。
【図５】図１のパウダー容器の中皿を容器本体の開口部から離脱させた状態を示す側断面図である。
【符号の説明】
１  パウダー容器                    ８  容器本体
９  開口部                          １０  中皿
１５  補充用開口                    １７  内蓋
１８  小孔                          ２０  帯状係止片
２３  ヒンジ部                      ２４  帯状引き上げ操作片
２６  収納溝                        Ｐ  パウダー
【図１】
2004166730.tif 000003
【図２】
2004166730.tif 000004
【図３】
2004166730.tif 000005
【図４】
2004166730.tif 000006
【図５】
2004166730.tif 000007